(57)【特許請求の範囲】
【請求項１】
光発電を行なうとともに外縁部に太陽電池パネル凹部および太陽電池パネル凸部を有す
る太陽電池パネルと、前記太陽電池パネルを保持するパネル支持枠と、前記パネル支持枠
の外縁部に設けたパネル支持枠リブとを有し、
前記パネル支持枠リブには、内周方向にひさし状に張り出すとともに、該ひさし状の張
り出しの下部の間隙で前記太陽電池パネル凸部の断面方向を保持する太陽電池パネルフッ
クを設け、
前記太陽電池パネルフックの太陽電池パネルフック内周寸法は、前記太陽電池パネル凸
部の太陽電池パネル凸部外周寸法より小さく、かつ前記太陽電池パネル凹部の太陽電池パ
ネル凹部外周寸法より大きくなるように設定し、
前記太陽電池パネルフックと前記太陽電池パネル凹部を位置合わせして前記太陽電池パ
ネルを前記パネル支持枠に載置した後、前記太陽電池パネルを所定角度変位させて前記太
陽電池パネルフックと前記太陽電池パネル凸部を重ねることによって前記太陽電池パネル
を保持する前記パネル支持枠であって、
前記パネル支持枠リブの間に切欠きを有し、前記切欠きに太陽電池パネル突出部を位置させることにより、前記パネル支持枠に対する前記太陽電池パネルの載置可能位置としたことを特徴とする太陽電池パネルを有する電子機器。
【請求項２】
前記パネル支持枠のパネル支持枠内周寸法は、前記太陽電池パネル凸部の太陽電池パネル凸部外周寸法より大きくなるように設定したことを特徴とする請求項１に記載の太陽電池パネルを有する電子機器。
【請求項３】
前記切欠きに前記太陽電池パネル突出部を位置させて前記パネル支持枠に前記太陽電池パネルの載置した後、前記太陽電池パネルを所定角度変位させて前記太陽電池パネルフックと前記太陽電池パネル凸部を重ねた状態では、前記太陽電池パネル突出部が前記パネル支持枠リブに接していることを特徴とする請求項１に記載の太陽電池パネルを有する電子機器。
【請求項４】
前記パネル支持枠を保持するための基台となる支持台をさらに有しており、
前記太陽電池パネルに設ける太陽電池パネル位置決め穴と、前記パネル支持枠に設けるパネル支持枠位置決め穴と、前記支持台に設けるパネル支持枠位置決めボスを有し、
前記太陽電池パネルを保持した前記パネル支持枠を前記支持台に位置合わせした状態では、前記太陽電池パネル位置決め穴と前記パネル支持枠位置決め穴と前記パネル支持枠位置決めボスの位置が合致し、
前記支持台と前記パネル支持枠とを係合した状態では、前記パネル支持枠位置決めボスは前記太陽電池パネル位置決め穴および前記パネル支持枠位置決め穴を挿通することを特徴とする請求項１〜３のいずれか１項に記載の太陽電池パネルを有する電子機器。
【請求項５】
前記太陽電池パネル位置決め穴は、前記太陽電池パネルの外縁部の太陽電池パネル突出部に設けるとともに、ほぼＵ字形の平面形状であることを特徴とする請求項４に記載の太陽電池パネルを有する電子機器。
【請求項６】
前記太陽電池パネルの視認側に配設する化粧板を有し、
前記支持台の外縁部には、前記パネル支持枠と前記太陽電池パネルを挿通する化粧板支持突起を有し、
前記化粧板の化粧板凸部を前記化粧板支持突起の先端部によって支持する
ことを特徴とする請求項４または請求項５に記載の太陽電池パネルを有する電子機器。
【請求項７】
前記化粧板に設ける化粧板固定用穴と、前記化粧板支持突起の先端に設ける化粧板位置決めボスを有し、
前記化粧板固定用穴に前記化粧板位置決めボスを挿通することにより前記化粧板を前記支持台にて保持する
ことを特徴とする請求項６に記載の太陽電池パネルを有する電子機器。
【請求項８】
前記化粧板の外縁部の前記太陽電池パネルフックと対応する位置に設ける化粧板凹部を有し、
前記太陽電池パネルフックと前記化粧板凹部とは平面的に重ならない
ことを特徴とする請求項６または請求項７に記載の太陽電池パネルを有する電子機器。
【発明の詳細な説明】
【技術分野】
【０００１】
本発明は、動力源として太陽光発電を行なう太陽電池パネルを有する電子機器に関し、さらに詳しくは表示パネルより視認側に太陽電池パネルを配設する際の太陽電池パネルの保持構造に関する。
【背景技術】
【０００２】
以下の記載においては、太陽電池パネルを有する電子機器として、時計を例にして説明する。
従来の太陽電池パネルを有する電子機器では、表示パネルを保持する部材（液晶セル支持枠）と、太陽電池パネルを保持する部材（ソーラーセル支持枠）を、独立した２つの部材として有している（たとえば特許文献１参照）。
【０００３】
以下、図１２を用いて従来の技術を説明する。図１２は特許文献１で開示されている太陽光発電機能を有するコンビネーション時計であり、アナログ表示を行なうアナログブロック１１０と、デジタル表示を行なうデジタルブロック１２０を有する。
図１２の上半分に、指針１１６により時刻表示を行なうアナログブロック１１０が配置されている。アナログブロック１１０は支持台１２１で保持する。アナログブロック１１０は、地板１１３に軸支されたステップモーター１１４のローター１１５の回転を、指針表示輪列１１７を用いて伝達することにより、指針１１６を駆動する。そして、文字板１２２と指針１１６によって時刻表示を行なう。さらに、アナログブロック１１０は、指針１１６により表示する時刻の修正を行なうために、巻真１１８を含む外部操作切り換え機構１１９を備える。
【０００４】
図１２の下半分に、時刻情報やカレンダ情報をデジタル表示するデジタルブロック１２０が配置されている。該デジタルブロック１２０は、アナログブロック１１０を保持する支持台１２１に対して平面的に重ねて配設する。ソーラーセル１１２は、液晶セル１１１より視認側に配設する。
デジタルブロック１２０は、デジタル表示を行なうパネル状の部材である液晶セル１１１と、太陽光発電を行なうパネル状の部材であるソーラーセル１１２とを有する。ソーラーセル支持枠１２５に支持されたソーラーセル１１２は、液晶セル支持枠１２３に支持された液晶セル１１１より視認側に配設する。
【０００５】
液晶セル支持枠１２３は、該液晶セル支持枠１２３と支持台１２１との間に液晶セル１１１を挟んで保持するための部材である。
また、液晶セル支持枠１２３は、液晶セル１１１のデジタル表示を視認するために、内側に大きな開口部を形成したリング状の部材である。さらに、液晶セル支持枠１２３は、液晶セル１１１の外縁部で平面的に重なる部材である。
【０００６】
ソーラーセル支持枠１２５は、該ソーラーセル支持枠１２５と液晶セル支持枠１２３との間にソーラーセル１１２を挟んで保持するための部材である。
また、ソーラーセル支持枠１２５は、ソーラーセル１１２に太陽光を照射するとともに液晶セル１１１のデジタル表示を視認するために、内側に大きな開口部を有するリング状の部材である。さらに、ソーラーセル支持枠１２５は、ソーラーセル１１２の外縁部で平面的に重なる部材である。
【０００７】
ソーラーセルブロック１２４は、ソーラーセル１１２とソーラーセル支持枠１２５から構成される。
【０００８】
ソーラーセル１１２のさらに視認側には、太陽光を透過することが可能なパネル状部材である文字板１２２を配設する。該文字板１２２には、図１２に図示されていないが、液晶セル１１１のデジタル表示を視認できるように開口部を形成する。
この文字板１２２はソーラーセル支持枠１２５で保持する。
【０００９】
【特許文献１】特開平１０−８２８７１号公報（段落００１２〜００１７、図１）
【発明の開示】
【発明が解決しようとする課題】
【００１０】
特許文献１における太陽光発電機能を有するコンビネーション時計では、デジタル表示部を自由にデザインすることが可能で、さらに太陽光発電面のスペース効率が良好であるという利点を有する。
しかし、特許文献１の技術では、デジタル表示を行なう部材と太陽光発電を行なう部材を別々の部材で保持している。すなわち、液晶セル１１１は液晶セル支持枠１２３で、ソーラーセル１１２はソーラーセル支持枠１２５で、それぞれ保持している。
このため、部品点数が増えるという課題がある。さらに、限られた外径寸法の中で、ソーラーセル（太陽電池パネル）と液晶セル（表示パネル）の面積をできるだけ大きくしたいという寸法上の制約から、液晶セル支持枠１２３とソーラーセル支持枠１２５が強度不足になるという課題がある。
本発明の目的は、上述の課題を解消して、部品点数を減らすとともに、支持枠の強度を確保することが可能な電子機器における太陽電池パネルの保持構造を提供することである。
【課題を解決するための手段】
【００１１】
上記目的を達成するために、本発明の太陽電池パネルを有する電子機器は、下記記載の手段を採用する。
光発電を行なうとともに外縁部に太陽電池パネル凹部および太陽電池パネル凸部を有する太陽電池パネルと、前記太陽電池パネルを保持するパネル支持枠と、前記パネル支持枠の外縁部に設けたパネル支持枠リブとを有し、
前記パネル支持枠リブには、内周方向にひさし状に張り出すとともに、該ひさし状の張り出しの下部の間隙で前記太陽電池パネル凸部の断面方向を保持する太陽電池パネルフックを設け、
前記太陽電池パネルフックの太陽電池パネルフック内周寸法は、前記太陽電池パネル凸部の太陽電池パネル凸部外周寸法より小さく、かつ前記太陽電池パネル凹部の太陽電池パネル凹部外周寸法より大きくなるように設定し、
前記太陽電池パネルフックと前記太陽電池パネル凹部を位置合わせして前記太陽電池パネルを前記パネル支持枠に載置した後、前記太陽電池パネルを所定角度変位させて前記太陽電池パネルフックと前記太陽電池パネル凸部を重ねることによって前記太陽電池パネルを前記パネル支持枠で保持することを特徴とする太陽電池パネルを有する電子機器である。
【発明の効果】
【００１２】
本発明の太陽電池パネルの保持構造によれば、太陽電池パネルを簡単な構造で電子機器組み込むことが可能となり、且つ安定して固定できるという効果を有している。
また、本発明の太陽電池パネルの保持構造によれば、太陽電池パネルと表示パネルを１つのパネル支持枠で保持している。このことで本発明の太陽電池パネルを有する電子機器は、部品点数を減らすことができ、太陽電池パネルと表示パネルとを保持するパネル支持枠の強度を確保できるという効果がある。
【発明を実施するための最良の形態】
【００１３】
以下、本発明の最良の形態の太陽電池パネルを有する電子機器における太陽電池パネルの保持構造について、図面を参照して詳しく説明する。
【００１４】
図１は、本発明による電子機器の主要部品についての分解組立図である。この図１の左側は使用者が表示を見る方向である視認側である。
なお、以下の図面においては、本発明の構成に直接関係しない電気的接続や各部材の締結に関わる小部品などは、図面を見やすくするために図示を省略した。
【００１５】
図１に示すように、視認側から、光発電を行なう太陽電池パネル１０と、パネル支持枠２０と、デジタル表示にて情報表示を行なう表示パネル３０と、支持台４０と、電子部品を搭載する回路ブロック５０と、回路押え６０とを配設する。さらに、好ましくは、太陽電池パネル１０の視認側に化粧板７０を配設する。
図１において、太陽電池パネル１０の受光面や表示パネル３０の表示面に平行な面を平面方向とし、これら受光面や表示面に対して垂直な軸方向を断面方向とする。
【００１６】
回路ブロック５０には、水晶振動子やチップ抵抗やチップコンデンサなどの電子部品を搭載する。ガラスエポキシ樹脂基板に形成した配線パターンに、水晶振動子やチップ抵抗やチップコンデンサなどの電子部品をはんだ接合して、回路ブロック５０を形成する。回路ブロック５０は、支持台４０に設ける図１に見えない回路位置決めボスに相対する図１に見えない回路位置決め穴を有する。そして、該回路位置決め穴と前記回路位置決めボスが嵌合して、回路ブロック５０の平面方向を支持台４０に保持する。
回路押え６０に設ける図１に２つ見える回路押えフック６１が、支持台４０に設けた図１に２つ見える回路押え掛け部４１に係合する。そして、回路押え６０は支持台４０との間に回路ブロック５０を挟持して、回路ブロック５０の断面方向を保持する。このように、回路押え６０は、回路ブロック５０を支持台４０に保持する役割を有する。回路押え６０は薄板の金属材料、たとえばステンレス鋼板から形成する。
【００１７】
表示パネル３０は、液晶パネルやエレクトロルミネセンスパネルからなる。支持台４０に設けた図１に６つ見える表示パネル位置決めボス４２の内側の面に表示パネル３０の上下左右の４辺が当接して、表示パネル３０の平面方向を保持する。
表示パネル３０の外縁部と平面的に重なるパネル支持枠２０には、図１に６つ見えるパネル支持枠フック２１を設ける。該パネル支持枠フック２１が、支持台４０に設けた図１に見えないパネル支持枠掛け部に係合する。その結果、パネル支持枠２０は、支持台４０との間に表示パネル３０を挟持して、表示パネル３０の断面方向を保持する。
【００１８】
また、パネル支持枠２０は、のちほど詳しく説明するように、その視認側で太陽電池パネル１０を保持する。すなわち、パネル支持枠２０は、視認側で太陽電池パネル１０を保持し、該視認側と反対側で表示パネル３０を支持台４０との間に挟持して保持している。パネル支持枠２０は、樹脂材料からなり、射出成形法などの成形加工によって形成する。
パネル支持枠２０は、支持台４０に設けるパネル支持枠位置決めボス４３０１、４３０２と相対するパネル支持枠位置決め穴２４０１、２４０２を有する。そして、パネル支持枠位置決め穴２４０１、２４０２とパネル支持枠位置決めボス４３０１、４３０２が各々嵌合して、パネル支持枠２０の平面方向を支持台４０で保持する。
【００１９】
光発電を行なう太陽電池パネル１０は、円板状の形状を有する。該太陽電池パネル１０は、上下の電極膜の間に導電型がｐ−ｉ−ｎ型のアモルファスシリコンを、ポリエチレンテレフタレート（ＰＥＴ）フィルムに成膜して形成される。なお、太陽電池パネル１０の
外縁部には、電極膜とアモルファスシリコンが形成されていない領域を有する。
表示パネル３０の表示を視認するために、パネル支持枠２０には表示パネル３０の外形寸法より小さい開口部２００１を、太陽電池パネル１０には開口部１００１と開口部１００２を、化粧板７０に開口部７００１と開口部７００２を、それぞれ設けている。太陽電池パネル１０の開口部１００１、１００２の開口内縁部にも、電極膜とアモルファスシリコンを形成していない領域を形成している。
太陽電池パネル１０および化粧板７０の開口部は、表示パネル３０の表示デザインにより、その形状や数を変化させる。
【００２０】
太陽電池パネル１０の視認側に配設する化粧板７０は、使用者に太陽電池パネル１０の表面を直接見せないようにするための部材である。化粧板７０にて太陽電池パネル１０を被覆することによって、本発明の電子機器の外観品質を向上させることができる。
視認側から光を太陽電池パネル１０に導くために、化粧板７０は光透過性材料から構成する。化粧板７０としては、ポリカーボネイトやアクリル樹脂などの樹脂材料や、セラミックス材料や、薄板状に研磨した白蝶貝または鮑などの貝殻を適用する。
【００２１】
本実施の形態では、表示パネル３０と太陽電池パネル１０を、パネル支持枠２０の表裏両面にて保持している。すなわち、本発明では、１つのパネル支持枠２０にて、太陽電池パネル１０と表示パネル３０とを保持している。このため、本発明の電子機器では、部品点数の削減が図られるという効果を奏する。
上述のように、パネル支持枠２０にて太陽電池パネル１０と表示パネル３０とを保持するため、本発明ではパネル支持枠２０で表示パネル３０の断面方向を保持する前に、太陽電池パネル１０をパネル支持枠２０に保持する必要がある。換言すると、はじめにパネル支持枠２０に太陽電池パネル１０を保持した後に、表示パネル３０を支持台４０とパネル支持枠２０の間に挟持するように保持する。
つぎに、本実施の形態における太陽電池パネル１０をパネル支持枠２０に保持する構造を、図面を用いて説明する。図２は、太陽電池パネル１０がパネル支持枠２０に載置可能な位置にある状態を、視認側から示す上面図である。
【００２２】
パネル支持枠２０には、その外縁部に、パネル支持枠リブ２３０１〜２３０５を設ける。パネル支持枠リブ２３０１〜２３０５は、図２に示すように、パネル支持枠２０の外縁部において、該パネル支持枠リブとパネル支持枠リブとの間に切り欠き部を形成する。すなわち、パネル支持枠リブ２３０１〜２３０５は、非連続的に設けている。
パネル支持枠リブ２３０１〜２３０５には、図４および図５の断面図にも一部を示すように、パネル支持枠リブ２３０１〜２３０５の内周方向にひさし状に張り出すとともに、ひさし状の張り出し部の下に、太陽電池パネル１０の厚さ寸法より大きな間隙を有する太陽電池パネルフック２２０１〜２２０７を設ける。
【００２３】
図２に示すように、太陽電池パネル１０には、外縁部に、１４箇所の太陽電池パネル凹部１１０１〜１１１４と、２箇所の太陽電池パネル突出部１２０１、１２０２と、１５箇所の太陽電池パネル凸部１４０１〜１４１５を設ける。太陽電池パネル凸部１４０１〜１４１５の間に、太陽電池パネル凹部１１０１〜１１１４が形成されている。
太陽電池パネル突出部１２０１と太陽電池パネル突出部１２０２には、それぞれ太陽電池パネル位置決め穴１３０１と太陽電池パネル位置決め穴１３０２を設ける。図示するように、寸法上の制約から太陽電池パネル位置決め穴１３０１、１３０２は、内周面側が半円形状のほぼＵ字形の平面形状となっている。
【００２４】
パネル支持枠リブ２３０１〜２３０５は、パネル支持枠２０の強度を増加させる役割をもつ。この結果、本発明の電子機器においては、太陽電池パネル１０と表示パネル３０とを保持するパネル支持枠２０は、必要充分な強度を確保することができる。
さらに、パネル支持枠リブ２３０１〜２３０５の内側の端面（内周寸法）を、太陽電池パネル凸部１４０１〜１４１５の外周寸法より僅かに大きくなるように設定する。この結果、パネル支持枠リブ２３０１〜２３０５の内側の端面と太陽電池パネル凸部１４０１〜１４１５の外側の端面との間には、適度な隙間が設けられている。よって、太陽電池パネル１０の平面方向を、パネル支持枠２０にて、ゆるく保持することができる。
【００２５】
図２の位置（載置可能位置）に太陽電池パネル１０がある状態では、太陽電池パネル凹部１１０１、１１０２、１１０６、１１０７、１１０９、１１１１、１１１４は、それぞれ太陽電池パネルフック２２０７、２２０１、２２０２、２２０３、２２０４、２２０５、２２０６と相対する位置となるとともに、太陽電池パネル凸部１４０１〜１４１５は、太陽電池パネルフック２２０１〜２２０７と相対しない円周方向（時計方向）にずれた位置にある。
このように、太陽電池パネル１０の太陽電池パネル凸部１４０１〜１４１５と、パネル支持枠２０の太陽電池パネルフック２２０１〜２２０７とは平面的に重ならない。したがって、パネル支持枠２０に対して太陽電池パネル１０を載置可能となる。
【００２６】
パネル支持枠２０に対して太陽電池パネル１０が載置可能な位置にある状態では、太陽電池パネル１０の外周に設けた太陽電池パネル突出部１２０１は、パネル支持枠リブ２３０４とパネル支持枠リブ２３０５の間の切り欠き部に位置して、パネル支持枠リブ２３０４に接している。
同様に、パネル支持枠２０に対して太陽電池パネル１０が載置可能な位置にある状態では、太陽電池パネル突出部１２０２は、パネル支持枠リブ２３０１とパネル支持枠リブ２３０２の間の切り欠き部に位置して、パネル支持枠リブ２３０１に接している。
【００２７】
本発明では、パネル支持枠２０に対して太陽電池パネル１０を載置可能な位置で、太陽電池パネル突出部１２０１と太陽電池パネル突出部１２０２が、それぞれパネル支持枠リブ２３０４とパネル支持枠リブ２３０１に接するように構成している。このことにより、パネル支持枠２０に対する太陽電池パネル１０の載置可能な位置を知ることができる。
この結果、太陽電池パネル１０をパネル支持枠２０に載置する際の組立作業性が向上するという効果を奏する。
【００２８】
図３は、太陽電池パネル１０を図２の載置可能位置から円周方向（反時計方向）に変位させて、パネル支持枠２０で太陽電池パネル１０を保持した状態の保持位置を、視認側から示す上面図である。
太陽電池パネル１０が図３に示す位置（保持位置）にある状態では、太陽電池パネル凹部１１０１、１１０２、１１０６、１１０７、１１０９、１１１１、１１１４は、それぞれ太陽電池パネルフック２２０７、２２０１、２２０２、２２０３、２２０４、２２０５、２２０６と相対する位置からずれるとともに、太陽電池パネル凸部１４０１、１４０５、１４０６、１４０８、１４１０、１４１４、１４１５は、それぞれ太陽電池パネルフック２２０１、２２０２、２２０３、２２０４、２２０５、２２０６、２２０７と平面的に重なる。すなわち、太陽電池パネル凸部１４０１、１４０５、１４０６、１４０８、１４１０、１４１４、１４１５は、図５の断面図にも一部を示すように、それぞれ太陽電池パネルフック２２０１、２２０２、２２０３、２２０４、２２０５、２２０６、２２０７のひさし状の張り出し部の下の間隙に位置する。
このことから、パネル支持枠２０は、太陽電池パネル１０の断面方向を保持することができる。
【００２９】
パネル支持枠２０に対して太陽電池パネル１０が保持されている位置にある状態では、図３に示すように、太陽電池パネル１０の外縁部に設ける太陽電池パネル突出部１２０１は、パネル支持枠リブ２３０４とパネル支持枠リブ２３０５の間の切り欠き部に位置して
、パネル支持枠リブ２３０５に接している。
同じように、パネル支持枠２０に対して太陽電池パネル１０が保持されている位置にある状態では、太陽電池パネル突出部１２０２は、パネル支持枠リブ２３０１とパネル支持枠リブ２３０２の間の切り欠き部に位置して、パネル支持枠リブ２３０２に接している。
【００３０】
本発明では、パネル支持枠２０に対して前記太陽電池パネル１０が保持されている位置にある状態で、太陽電池パネル突出部１２０１と太陽電池パネル突出部１２０２が、それぞれパネル支持枠リブ２３０５とパネル支持枠リブ２３０２に接するように構成している。このことによって、パネル支持枠２０に対して太陽電池パネル１０の保持できる位置を知ることができる。この結果、太陽電池パネル１０をパネル支持枠２０にて保持する際の組立作業性が向上するという効果を奏する。
なお、図３に示すパネル支持枠２０への太陽電池パネル１０の保持位置においては、太陽電池パネル１０に設ける太陽電池パネル位置決め穴１３０１、１３０２と、パネル支持枠２０に設けるパネル支持枠位置決め穴２４０１、２４０２の位置が各々合致する。
【００３１】
図４は、図２を用いて説明した太陽電池パネル１０をパネル支持枠２０に載置する位置（載置可能位置）における太陽電池パネルフック２２０１と太陽電池パネル１０を示す断面図である。また、図５は、図３を用いて説明した太陽電池パネル１０をパネル支持枠２０で保持している位置（保持位置）における太陽電池パネルフック２２０１と太陽電池パネル１０を示す断面図である。なお、太陽電池パネルフック２２０１以外の太陽電池パネルフック２２０２〜２２０７の領域も、図４および図５と同じ構造となる。
図４および図５の両図面とも、紙面の上方が視認側を、左側が外周方向を、右側が内周方向をそれぞれ示す。
【００３２】
図４および図５に示すように、パネル支持枠２０の外縁部にパネル支持枠リブ２３０１を設ける。また、このパネル支持枠リブ２３０１から内周方向にひさし状に張り出すとともに、この張り出し部の下部に太陽電池パネル１０の厚さ寸法より大きな間隙を有する太陽電池パネルフック２２０１を設けている。パネル支持枠２０の内周領域には、図１にも示す表示パネル３０の外形寸法より小さい開口部２００１が設けられている。
図４に示すように、パネル支持枠２０のパネル支持枠内周寸法２３０１ａを、太陽電池パネル１０の太陽電池パネル凸部外周寸法１４０１ａより僅かに大きくなるように設定する。この結果、太陽電池パネル１０の載置可能位置では、パネル支持枠２０は太陽電池パネル１０の平面方向を適度な隙間を持って載置している。
【００３３】
図２および図４に示すように、載置可能位置においては、太陽電池パネルフック２２０１に太陽電池パネル凹部１１０２が相対する。
なお図４では、太陽電池パネル１０の外周端（左端）に太陽電池パネル凸部１４０１が図示されているが、図２から明らかなように、太陽電池パネルフック２２０１と太陽電池パネル凸部１４０１とは平面的に重ならない。
【００３４】
また、パネル支持枠２０の太陽電池パネルフック内周寸法２２０１ａを、太陽電池パネル１０の太陽電池パネル凹部外周寸法１１０２ａより大きくなるように設定する。この結果、図２からも明らかなように、太陽電池パネルフック２２０１と太陽電池パネル凹部１１０２は平面的に重ならない。このため、太陽電池パネルフック２２０１と太陽電池パネル凹部１１０２を位置合わせして、太陽電池パネル１０をパネル支持枠２０の方向（下方向）に移動させれば、妨げるものがないことから、上方位置（視認側）から図４の位置に太陽電池パネル１０を載置できる。このとき、太陽電池パネル突出部１２０１はパネル支持枠リブ２３０４とパネル支持枠リブ２３０５の間に、太陽電池パネル突出部１２０２はパネル支持枠リブ２３０１とパネル支持枠リブ２３０２の間に、それぞれ位置する。
このように、太陽電池パネル１０は、パネル支持枠２０の上方より図４の位置に移動し
て、パネル支持枠２０に対して載置可能となる。
【００３５】
図５においては、図４の載置可能位置から太陽電池パネル１０を反時計方向に変位させており、太陽電池パネル１０は図３で説明した位置（保持位置）に変位している。このため、太陽電池パネルフック２２０１に太陽電池パネル凸部１４０１が相対する。
図５に示すように、パネル支持枠２０の太陽電池パネルフック内周寸法２２０１ａを、太陽電池パネル１０の太陽電池パネル凸部外周寸法１４０１ａより小さくなるように設定する。この結果、太陽電池パネルフック２２０１と太陽電池パネル凸部１４０１は平面的に重なる。すなわち、太陽電池パネル凸部１４０１は、太陽電池パネルフック２２０１のひさし状の張り出し部の下の間隙に位置する。この結果、太陽電池パネル１０をパネル支持枠２０に対して保持することが可能となる。
【００３６】
図６は、太陽電池パネル１０を保持した状態のパネル支持枠２０を支持台４０に組立保持することで、パネル支持枠２０と支持台４０の間に表示パネル３０が挟持される状態を示す組立図である。図６も、図１と同じように、図面左側は使用者が表示を見る方向である視認側である。
図６の中央に表示パネル３０が位置し、図６右側に回路押え６０にて回路ブロック５０を挟持した支持台４０が位置し、図６左側に太陽電池パネル１０を保持したパネル支持枠２０が位置する。図示されているように、太陽電池パネル１０はパネル支持枠２０の視認側に、表示パネル３０はパネル支持枠２０の視認側と反対側に、それぞれ位置する。
【００３７】
支持台４０に設ける図６に６つ見える表示パネル位置決めボス４２の内側の面と、表示パネル３０の上下左右の４辺が当接して、表示パネル３０の平面方向を支持台４０で保持する。
表示パネル３０の外縁部と平面的に重なるパネル支持枠２０に設けた図６に３つ見えるパネル支持枠フック２１が、支持台４０に設けた図６に見えないパネル支持枠掛け部に係合する。この結果、パネル支持枠２０は、支持台４０との間に表示パネル３０を挟持して、表示パネル３０の断面方向を保持することができる。
【００３８】
パネル支持枠２０は、支持台４０に設けるパネル支持枠位置決めボス４３０１、４３０２とそれぞれ相対するパネル支持枠位置決め穴２４０１、２４０２を有する。
パネル支持枠位置決め穴２４０１、２４０２と、パネル支持枠位置決めボス４３０１、４３０２が各々嵌合してパネル支持枠２０の平面方向を支持台４０で保持する。
【００３９】
本実施の形態では、図２に示すパネル支持枠２０に対して太陽電池パネル１０を載置可能な位置から、図３に示すパネル支持枠２０に対して太陽電池パネル１０が保持される位置へは、所定の角度の回転移動を伴う。
このため、太陽電池パネル１０が図３に示す保持位置から回転しないための回転防止手段が必要である。以下、パネル支持枠２０に対して太陽電池パネル１０が保持される位置から回転しないための回転防止手段を、図７および図８を用いて説明する。
【００４０】
図７は、図３と同様に、パネル支持枠２０に対して太陽電池パネル１０が保持される位置を、視認側から見た状態を示す上面図である。
パネル支持枠２０に対して太陽電池パネル１０が保持位置にある状態では、太陽電池パネル１０に設けた太陽電池パネル位置決め穴１３０１と太陽電池パネル位置決め穴１３０２は、パネル支持枠２０に設けたパネル支持枠位置決め穴２４０１とパネル支持枠位置決め穴２４０２と各々平面的に同じ位置になる。
【００４１】
図８は、太陽電池パネル１０を保持したパネル支持枠２０と支持台４０が組み立てられた状態を、視認側から見た状態を示す上面図である。
図１にも示す支持台４０の視認側外縁部に設けた１対のパネル支持枠位置決めボス４３０１とパネル支持枠位置決めボス４３０２は、パネル支持枠２０と支持台４０を組み立てる際に、それぞれ図７および図８に示すパネル支持枠位置決め穴２４０１とパネル支持枠位置決め穴２４０２を貫通して、各々太陽電池パネル位置決め穴１３０１と太陽電池パネル位置決め穴１３０２まで達する。すなわち、パネル支持枠位置決めボス４３０１、４３０２が、太陽電池パネル位置決め穴１３０１、１３０２に嵌合する。このようにして、支持台４０に対してパネル支持枠２０の平面方向の位置を保持するとともに、太陽電池パネル１０の角度位置と平面方向の位置も保持する。よって、太陽電池パネル１０は、保持される位置から回転することはない。
このように回転防止手段としては、太陽電池パネル１０に設ける太陽電池パネル位置決め穴１３０１、１３０２と、パネル支持枠２０に設けるパネル支持枠位置決め穴２４０１、２４０２と、支持台４０に設けるパネル支持枠位置決めボス４３０１、４３０２から構成する。
【００４２】
つぎに、太陽電池パネル１０の視認側に配置する化粧板７０を保持する構造における実施の形態について、図面を用いて説明する。
図７に示すように、パネル支持枠２０の外縁部には、支持突起用穴２５０１〜２５０８と支持突起用凹部２６０１、２６０２を設ける。
【００４３】
パネル支持枠２０に対して太陽電池パネル１０が保持される位置では、支持突起用穴２５０１、２５０２、２５０３、２５０４には、それぞれ太陽電池パネル凹部１１０２、１１０３、１１０４、１１０５が相対し、支持突起用穴２５０５、２５０６、２５０７、２５０８には、それぞれ太陽電池パネル凹部１１０９、１１１０、１１１２、１１１３が相対し、支持突起用凹部２６０１、２６０２には、それぞれ太陽電池パネル凹部１１０１、１１０８が相対する。
さらに、パネル支持枠２０に対して太陽電池パネル１０が保持される位置では、支持突起用穴２５０１〜２５０４と支持突起用凹部２６０１、２６０２とは、太陽電池パネル１０と平面的に重ならない。
【００４４】
パネル支持枠２０と支持台４０が組み立てられた状態を視認側から見た図８に示すように、支持台４０の外縁部に設ける化粧板支持突起４４０２〜４４０５、４４０７〜４４１０は支持突起用穴２５０１〜２５０８で、化粧板支持突起４４０１、４４０６は支持突起用凹部２６０１、２６０２で、それぞれパネル支持枠２０と太陽電池パネル１０を挿通する。
【００４５】
図７および図８に示すように、太陽電池パネル凹部１１０１、１１０２、１１０９は、保持位置において、化粧板支持突起４４０１、４４０２、４４０７をそれぞれ挿通させるための凹部であるとともに、載置可能位置において、図２で説明した太陽電池パネルフック２２０７、２２０１、２２０４をそれぞれ避けるための凹部でもある。
本発明では、太陽電池パネル凹部１１０１、１１０２、１１０９が、化粧板支持突起４４０１、４４０２、４４０７を挿通させる役割と、太陽電池パネルフック２２０７、２２０１、２２０４を避ける役割を兼用している。このことによって、太陽電池パネル１０の外縁部の形状を簡略化することが可能となり、受光面積の減少を抑えることができる。この結果、本発明の電子機器においては、太陽電池パネル１０は受光面積を大きくでき、電子機器を駆動するに充分な光発電量を得ることができる。
【００４６】
化粧板支持突起４４０１、４４０４、４４０６、４４０９の先端部には、化粧板７０と嵌合して化粧板７０の平面方向の位置を保持するための化粧板位置決めボス４４０１ａ、４４０４ａ、４４０６ａ、４４０９ａをそれぞれ設ける。
【００４７】
化粧板支持突起４４０１、４４０４、４４０６、４４０９の化粧板位置決めボス４４０１ａ、４４０４ａ、４４０６ａ、４４０９ａを除いた先端部分の領域、化粧板支持突起４４０２、４４０３、４４０５、４４０７、４４０８、４４１０の先端部分の領域、および支持枠位置決めボス４３０１、４３０２の先端部分の領域は、視認側において、すべて同じ断面高さである。
【００４８】
図９は、パネル支持枠２０と支持台４０が組み立てられた状態（図８の状態）に化粧板７０を組み立てた構成を、視認側から示す上面図である。
図９に示すように、化粧板７０の外縁部には、化粧板凹部７１０１〜７１０７を設け、パネル支持枠２０に形成した太陽電池パネルフック２２０１〜２２０７とそれぞれ平面的に重ならないようにしている。
【００４９】
また、化粧板７０の外縁部には、化粧板凸部７２０１〜７２０６および化粧板凸部７４０１〜７４０４を設ける。
この化粧板凸部７２０１〜７２０６および化粧板凸部７４０１〜７４０４は、図８に示す化粧板支持突起４４０２、４４０３、４４０５、４４０７、４４０８、４４１０および化粧板支持突起４４０１、４４０４、４４０６、４４０９と平面的に重なる。さらに、パネル支持枠位置決めボス４３０１、４３０２も化粧板７０の外縁部と平面的に重なって、化粧板７０の断面方向の位置を決める。
【００５０】
化粧板凸部７４０１〜７４０４には、それぞれ化粧板固定用穴７３０１〜７３０４を設ける。化粧板固定用穴７３０１〜７３０４は、ほぼＵ字形の平面形状となっている。
化粧板固定用穴７３０１〜７３０４は、化粧板位置決めボス４４０１ａ、４４０４ａ、４４０６ａ、４４０９ａと嵌合して、化粧板７０の平面方向の位置を保持するとともに、化粧板７０が視認側に脱落しないように断面方向の位置も保持する。
【００５１】
図１０および図１１は、パネル支持枠２０と太陽電池パネル１０を挿通した化粧板支持突起４４０１〜４４１０が、化粧板７０の断面方向の位置を保持する構造を示す断面図である。図１０および図１１の両図面とも、紙面の上方が視認側を、左側が外周方向を、右側が内周方向を、それぞれ示す。
図１０は化粧板支持突起４４０１と化粧板位置決めボス４４０１ａを含む領域の断面を示す断面図である。なお、化粧板支持突起４４０４、４４０６、４４０９と化粧板位置決めボス４４０４ａ、４４０６ａ、４４０９ａの領域も、図１０と同じ断面構造である。
さらに、図１１は化粧板支持突起４４０２を含む領域の断面を示す断面図である。なお、化粧板支持突起４４０３、４４０５、４４０７、４４０８、４４１０の領域も、図１１と同じ構造である。
【００５２】
図１０に示すように、支持台４０に設けた化粧板支持突起４４０１は、支持突起用凹部２６０１と太陽電池パネル凹部１１０１の領域で、パネル支持枠２０と太陽電池パネル１０を挿通する。そして、化粧板支持突起４４０１の先端部（化粧板位置決めボス４４０１ａを除いた領域）は、太陽電池パネル１０の上面より視認側に若干高い高さに位置する。このことにより、太陽電池パネル１０の上面と化粧板７０の下面との間に間隙を設ける。この結果、太陽電池パネル１０と化粧板７０とが面接触することがなく、太陽電池パネル１０や化粧板７０に傷が生じることを防止し、さらに電子機器を床面に落下させた場合に衝撃荷重で両者が衝突することがなく破損を防止できる。
支持台４０の化粧板支持突起４４０１の先端部に、化粧板７０の化粧板凸部７４０１が重なって、化粧板７０の断面方向の位置を保持する。
【００５３】
化粧板支持突起４４０１の先端には化粧板位置決めボス４４０１ａを設ける。そして、図９にも示すように、化粧板凸部７４０１に設けた化粧板固定用穴７３０１に化粧板位置
決めボス４４０１ａを嵌合して、化粧板７０の平面方向の位置と断面方向の位置を支持台４０に保持する。
【００５４】
図１１に示すように、支持台４０に設けた化粧板支持突起４４０２は、支持突起用穴２５０１と太陽電池パネル凹部１１０２の領域で、パネル支持枠２０と太陽電池パネル１０を挿通する。そして、化粧板支持突起４４０２の先端部は、太陽電池パネル１０の上面より視認側に若干高い高さに位置する。なお、前述のように、化粧板支持突起４４０２の先端部と、図１０に示す化粧板位置決めボス４４０１ａを除いた化粧板支持突起４４０１の先端部とは、同じ高さとする。
支持台４０の化粧板支持突起４４０１の先端部に、化粧板７０の化粧板凸部７２０１が重なって、化粧板７０の断面方向の位置を保持する。このようにして、太陽電池パネル１０の視認側に化粧板７０を、支持台４０にて保持することができる。
【００５５】
以上の実施形態において、太陽電池パネル１０は円板状の例で説明したが、正方形状としてもよい。
また、以上の説明では、表示パネル３０によるデジタル表示の例で説明したが、デジタル表示に、指針によるアナログ表示を加えたコンビネーション時計にも、本発明は適用できる。そのときは、表示パネル３０の背面側にアナログブロックを配設して、表示パネル３０と太陽電池パネル１０と化粧板７０とに、アナログ表示を行なう指針を取付ける指針取付け軸を貫通させるための穴を形成し、さらに化粧板７０を文字板として使用すればよい。
【図面の簡単な説明】
【００５６】
【図１】本発明の実施形態における電子機器の主要部品についての分解組立図である。
【図２】本発明の実施形態の太陽電池パネルがパネル支持枠に載置可能な位置を示す視認側から見た上面図である。
【図３】本発明の実施形態の太陽電池パネルをパネル支持枠に保持する位置を示す視認側から見た上面図である。
【図４】本発明の実施形態の太陽電池パネルがパネル支持枠に載置可能な位置における断面構造を示す断面図である。
【図５】本発明の実施形態の太陽電池パネルとパネル支持枠に保持する位置における断面構造を示す断面図である。
【図６】本発明の実施形態の表示パネルがパネル支持枠と支持台に挟持される状態を示す組立図である。
【図７】本発明の実施形態の太陽電池パネルの外縁部の凹部とパネル支持枠の各穴の関係を示す視認側から見た上面図である。
【図８】本発明の実施形態の化粧板支持突起がパネル支持枠と太陽電池パネルを貫通する状態を示す視認側から見た上面図である。
【図９】本発明の実施形態の化粧板を保持する状態を示す視認側から見た上面図である。
【図１０】本発明の実施形態の化粧板を支持台に保持する構造を示す断面図である。
【図１１】本発明の実施形態の化粧板を支持台に保持する構造を示す断面図である。
【図１２】従来の太陽電池パネルと表示パネルの保持構造を示す断面図である。
【符号の説明】
【００５７】
１０  太陽電池パネル
２０  パネル支持枠
３０  表示パネル
４０  支持台
５０  回路ブロック
６０  回路押え
７０  化粧板
１１０１〜１１１４  太陽電池パネル凹部
１２０１、１２０２  太陽電池パネル突出部
１３０１、１３０２  太陽電池パネル位置決め穴
１４０１〜１４１５  太陽電池パネル凸部
２２０１〜２２０７  太陽電池パネルフック
２３０１〜２３０５  パネル支持枠リブ
２４０１、２４０２  パネル支持枠位置決め穴
【図１】
0005096207.tif 000002
【図２】
0005096207.tif 000003
【図３】
0005096207.tif 000004
【図４】
0005096207.tif 000005
【図５】
0005096207.tif 000006
【図６】
0005096207.tif 000007
【図７】
0005096207.tif 000008
【図８】
0005096207.tif 000009
【図９】
0005096207.tif 000010
【図１０】
0005096207.tif 000011
【図１１】
0005096207.tif 000012
【図１２】
0005096207.tif 000013